(57)【要約】【課題】フィルムを収納容器から引き出す際に、左右どちらの手でもフラップを起こせ、フィルムが摘め、スムーズに引き出せる収納容器を提供する。【解決手段】フィルム１２の巻回体２を収納し、開口面を有し、底板４、前板５、後板６、前板に連接される副前板７とを有する容器本体１５と、第２の連接辺で後板６に回動可能に連接され、開口面を塞ぐ蓋板２２と、蓋板が開口面を塞いだとき、前板に重なる蓋前板２３とを備え、副前板７は、前板に重なり前板の内側に配置され、容器本体は、開口面から引き出されたフィルムの先端部３６を前板から離間させる二つのフラップ２０を有し、該フラップは第１の連接辺に連接し、前板の一部分を切り起こして形成され、第１の連接辺に沿う方向の前板の中央部を挟んで配置され、該フラップが切り起こされた一部分の底板の一辺に対向する側に、指をいれフィルムをつまみ、引き出せる大きさの刳貫部２９のある収納容器とする。【選択図】図１
2012101814.tif 000002
【特許請求の範囲】
【請求項１】
ラップフィルムが円筒状に巻かれたラップ巻回体を収納する、一面が開口された容器本体であって、前記一面に対向する底板と、前記底板の一辺に立設された前板と、前記一辺に対向する前記底板の他の一辺に立設された後板と、前記底板の一辺に対向する第１の連接辺を有する副前板であって、前記第１の連接辺において前記前板に連接される副前板とを有する容器本体と；
前記底板の他の一辺に対向する第２の連接辺を有し、前記第２の連接辺において前記後板に回動可能に連接され、前記開口された一面を塞ぐよう構成された蓋板と；
前記第２の連接辺に対向する前記蓋板の一辺に立設され、前記蓋板が前記一面を塞いだ状態のとき、前記前板に重なるよう配置された蓋前板とを備え；
前記副前板は、前記前板に重なって前記前板の内側に配置され；
前記容器本体は、前記開口された一面から引き出された前記ラップフィルムの先端部を前記前板から離間させる二つのフラップを有し；
前記二つのフラップは、前記第１の連接辺に連接し、前記前板の一部分を切り起こしてそれぞれ形成され、前記第１の連接辺に沿った方向の前記前板の中央部を挟んで配置され；
前記二つのフラップが切り起こされた一部分の底板の一辺に対向する側に、指をいれ、前記引き出されたラップフィルムをつまみ、さらに引き出すことのできる大きさの刳貫部がそれぞれ形成された；
ラップフィルム収納容器。
【請求項２】
前記前板上の前記二つのフラップの間に、前記引き出されたラップフィルムを保持するフィルム保持部を備える；
請求項１に記載のラップフィルム収納容器。
【請求項３】
前記二つのフラップの間の前記第１の連接辺に沿った方向の距離が１０ｍｍ以上である；
請求項１または請求項２に記載のラップフィルム収納容器。
【請求項４】
前記蓋板が前記一面を塞いだ状態のとき前記蓋前板の前記フィルム保持部に重なる部分に、前記前板の側に隆起するエンボス加工部を備える；
請求項３に記載のラップフィルム収納容器。
【請求項５】
前記二つのフラップの少なくとも一方の前記副前板側の表面上に、あるいは前記副前板の前記二つのフラップに対向する側の表面上であって、前記二つのフラップの少なくとも一方に対向する位置に隆起部が形成された；
請求項１乃至請求項４のいずれか１項に記載のラップフィルム収納容器。
【請求項６】
請求項１乃至請求項５のいずれか１項に記載のラップフィルム収納容器と；
前記ラップフィルムが円筒状に巻かれた前記ラップ巻回体とを備える；
ラップフィルム供給具。
【発明の詳細な説明】
【技術分野】
【０００１】
本発明は、ラップフィルムが円筒状に巻かれたラップ巻回体を収納するラップフィルム収納容器に関し、特に、ラップフィルム収納容器からラップフィルムを左右どちらの手でも摘み出すことのできるラップフィルム収納容器に関する。
【背景技術】
【０００２】
図５に示すように、従来のラップフィルム供給具１０１は、ラップ巻回体１０２（以下、適宜、巻回体１０２）と、巻回体１０２を収納するラップフィルム収納容器１０３（以下、適宜、収納容器１０３）とを含んで構成される（例えば、特許文献１参照）。巻回体１０２は、食品包装用等に使用されるラップフィルム１１２（以下、適宜、フィルム１１２）を円筒状の巻芯１１０に巻きつけて巻回体１０２としたものである。巻回体１０２は、細長い直方体形状である紙製の収納容器１０３の中に収納される。
【０００３】
収納容器１０３は、一面全体に渡って開口している一面１３０を、図中、上部に有する容器本体１１５と、容器本体１１５の開口している一面１３０を覆って蓋をするように形成され、一端が容器本体１１５に回動可能に連接された蓋板１２２とを含んで構成されている。
【０００４】
容器本体１１５は、底板１０４と、前板１０５と、後板１０６と、前板１０５に重ねて配置された副前板（図１（Ｂ）参照）とを有する。収納容器１０３は、蓋板１２２に立設された蓋前板１２３であって、蓋板１２２が開口している一面１３０を塞いだときに、前板１０５に重なる蓋前板１２３を備える。蓋前板１２３の一端１４０であって蓋板１２２に連接された一端１４０に対向する他端には、カッター１２４が形成されている。前板１０５の、図中、上部の長手方向中央部には切り込みが入れられ、切り込みを境にしてフラップ１２０が分離して起こされ、前板１０５に対して角度をなして配置されている。起こされたフラップ１２０によって、フラップ１２０にもたれかかるフィルム１１２の先端部１３６が前板１０５から離間している。
【０００５】
フィルム１１２を使用するときは、収納容器１０３を手に持ち、蓋板１２２を開け、フィルム１１２を摘んで引き出すと、巻回体１０２は収納容器１０３内で回転し、フィルム１１２を巻回体１０２から剥離させ、収納容器１０３の外部に引き出すことができる。必要な長さのフィルム１１２を引き出した後に、蓋板１２２を閉め、蓋前板１２３の長手方向中央を、フィルム１１２を引き出した手と反対の手の親指で押さえ、カッター１２４を使用してフィルム１１２を切断し、切り離したフィルム１１２を使用する。
【先行技術文献】
【特許文献】
【０００６】
【特許文献１】実用新案登録第３０８８０７８号公報（図１等）
【発明の概要】
【発明が解決しようとする課題】
【０００７】
しかし、フィルム１１２を引き出すためにフラップ１２０を起こしてフィルム１１２を摘もうする際に、フラップ１２０を起こしにくく、またフィルム１１２が摘みにくく、フィルム１１２がうまく摘めず、フィルム１１２を収納容器１０３からうまく引き出せない場合があり、また左右どちらの手でもフィルム１１２を収納容器からスムーズに引き出せるようにしてほしいとの要望があった。
【０００８】
そこで、本発明は、ラップフィルムをラップフィルム収納容器から引き出す際に、左右どちらの手でもフラップを起こしやすく、かつラップフィルムが摘みやすく、ラップフィルムをラップフィルム収納容器からスムーズに引き出すことのできるラップフィルム収納容器を提供することを目的とする。
【課題を解決するための手段】
【０００９】
上記目的を達成するために、本発明の第１の態様に係るラップフィルム収納容器３は、例えば図１（Ａ）、（Ｂ）に示すように、ラップフィルム１２が円筒状に巻かれたラップ巻回体２を収納する、一面３０が開口された容器本体１５であって、一面３０に対向する底板４と、底板４の一辺３１に立設された前板５と、一辺３１に対向する底板４の他の一辺３２に立設された後板６と、底板４の一辺３１に対向する第１の連接辺３８を有する副前板７であって、第１の連接辺３８において前板５に連接される副前板７とを有する容器本体１５と；底板４の他の一辺３２に対向する第２の連接辺３９を有し、第２の連接辺３９において後板６に回動可能に連接され、開口された一面３０を塞ぐよう構成された蓋板２２と；第２の連接辺３９に対向する蓋板２２の一辺４０に立設され、蓋板２２が一面３０を塞いだ状態のとき、前板５に重なるよう配置された蓋前板２３とを備え；副前板７は、前板５に重なって前板５の内側に配置され；容器本体１５は、開口された一面３０から引き出されたラップフィルム１２の先端部３６を前板５から離間させる二つのフラップ２０を有し；二つのフラップ２０は、第１の連接辺３８に連接し、前板５の一部分を切り起こしてそれぞれ形成され、第１の連接辺３８に沿った方向Ｘの前板５の中央部を挟んで配置され；二つのフラップ２０が切り起こされた一部分の底板４の一辺３１に対向する側に、指をいれ、引き出されたラップフィルム１２をつまみ、さらに引き出すことのできる大きさの刳貫部２９がそれぞれ形成される。
【００１０】
このように構成にすると、ラップフィルム収納容器の容器本体は、フラップを有し、刳貫部が形成されたものとなる。よって、開口された一面から引き出されたラップフィルムの先端部を、第１の連接辺に沿った方向の前板の中央部を挟んで配置された二つのフラップによって前板から離間させることができるので、ラップフィルムの使用者は、刳貫部に指を入れ、前板から離間されたラップフィルムを容易に摘み、さらにスムーズに引き出すことができる。フラップは、二つ形成され、第１の連接辺に沿った方向の前板の中央部を挟んで配置されているので、ラップフィルムをラップフィルム収納容器から引き出す際に、左右どちらの手でもフラップを起こしやすく、かつ左右どちらの手でもラップフィルムが摘みやすく、ラップフィルムをラップフィルム収納容器からスムーズに引き出すことができる。
【００１１】
本発明の第２の態様に係るラップフィルム収納容器３は、例えば図１（Ａ）に示すように、第１の態様のラップフィルム収納容器において、前板５上の二つのフラップ２０の間に、引き出されたラップフィルム１２を保持するフィルム保持部３３を備える。
【００１２】
このように構成すると、前板上の二つのフラップの間に、引き出されたラップフィルムを保持するフィルム保持部を備えるので、ラップフィルムの使用者は、刳貫部に指を入れ、引き出されフィルム保持部に保持されているラップフィルムを確実に摘み、ラップフィルム容器内のラップフィルムをラップフィルム容器からスムーズに引き出すことができる。
【００１３】
本発明の第３の態様に係るラップフィルム収納容器３は、例えば図１（Ａ）に示すように、第１の態様または第２の態様のラップフィルム収納容器において、二つのフラップ２０の間の第１の連接辺３８に沿った方向Ｘの距離（２×Ｗ０）が１０ｍｍ以上である。
【００１４】
このように構成すると、二つのフラップの間の第１の連接辺に沿った方向の距離が１０ｍｍ以上であるので、二つのフラップの間の前板の中央部分にフォルムを保持するフィルム保持部を設けることができ、引き出されたラップフィルムをフィルム保持部に確実に保持することができる。
【００１５】
二つのフラップの間の第１の連接辺に沿った方向の距離を２０ｍｍ以上とすることが好ましい。このように構成すると、より確実に二つのフラップの間の前板の中央部分にフィルムを保持するフォルム保持部を設けることができ、引き出されたラップフィルムをフィルム保持部により確実に保持することができる。
【００１６】
二つのフラップの間の第１連接辺に沿った方向の距離（２×Ｗ０）は、２００ｍｍ以下、好ましくは１５０ｍｍ以下とするとよい。このように構成すると、ラップフィルムを摘む箇所が、前板の長手方向における端により過ぎないので、その後のラップフィルムを引き出して切断する作業をスムーズに行うことができる。
【００１７】
本発明の第４の態様に係るラップフィルム収納容器３は、例えば図１（Ａ）、（Ｂ）に示すように、第３の態様のラップフィルム収納容器において、蓋板２２が一面３０を塞いだ状態のとき蓋前板２３のフィルム保持部３３に重なる部分に、前板５の側に隆起する隆起部３４を有するエンボス加工部２８を備える。
【００１８】
このように構成すると、蓋板が一面を塞いだ状態のとき蓋前板のフィルム保持部に重なる部分に、前板の側に隆起する隆起部を有するエンボス加工部を備えるので、ラップフィルム収納容器を片手で持ったときに、ラップフィルムを持った手の親指で蓋前板のエンボス加工部を容易に押さえることができるので、ラップフィルムをフィルム保持部により確実に保持することができる。
【００１９】
本発明の第５の態様に係るラップフィルム収納容器３は、例えば図３、図４に示すように、第１の態様乃至第４の態様のいずれか１の態様のラップフィルム収納容器３において、二つのフラップ２０の少なくとも一方の副前板７側の表面上に、あるいは副前板７の二つのフラップ２０に対向する側の表面上であって、二つのフラップ２０の少なくとも一方に対向する位置に隆起部５１、５２が形成されている。
【００２０】
このように構成すると、二つのフラップの少なくとも一方の副前板側の表面上に形成された隆起部が副前板に当たり、二つのフラップの少なくとも一方を起こすことができる。あるいは副前板の二つのフラップに対向する側の表面上であって、二つのフラップの少なくとも一方に対向する位置に形成された隆起部が当該二つのフラップの少なくとも一方に当たり、当該二つのフラップの少なくとも一方を起こすことができる。起こされた二つのフラップの少なくとも一方は、手でさらに起こすことができ、当該一方によって、ラップフィルムを前板から確実に離間させることができる。
【００２１】
上記目的を達成するために、本発明の第６の態様に係るラップフィルム供給具１は、例えば図１（Ａ）に示すように、第１の態様乃至第５の態様のいずれか１の態様のラップフィルム収納容器３と；ラップフィルム１２が円筒状に巻かれたラップ巻回体２とを備える。
【発明の効果】
【００２２】
以上説明したように、本発明のラップフィルム収納容器によれば、二つのフラップを有し、刳貫部が形成されたものとなる。よって、開口された一面から引き出されたラップフィルムの先端部を、第１の連接辺に沿った方向の前板の中央部を挟んで配置された二つのフラップによって前板から離間させることができるので、ラップフィルムの使用者は、刳貫部に指を入れ、前板から離間されたラップフィルムを容易に摘み、さらにスムーズに引き出すことができる。フラップは、二つ形成され、第１の連接辺に沿った方向の前板の中央部を挟んで配置されているので、ラップフィルムをラップフィルム収納容器から引き出す際に、左右どちらの手でもフラップを起こしやすく、かつ左右どちらの手でもラップフィルムが摘みやすく、ラップフィルムをラップフィルム収納容器からスムーズに引き出すことができる。
【図面の簡単な説明】
【００２３】
【図１】（Ａ）は、本発明の実施の形態に係る、ラップフィルム収納容器を備えるラップフィルム供給具の斜視図である。（Ｂ）は、（Ａ）に示すラップフィルム収納容器の長手方向に直角な方向のラップフィルム供給具の断面図である。
【図２】図１（Ａ）に示す立体状のラップフィルム収納容器とする前の、平面状の前板の部分を示す図である。
【図３】図１（Ａ）に示すラップフィルム収納容器のフラップを裏から見た図である。
【図４】図１（Ａ）に示すラップフィルム収納容器の副前板の部分を示す正面図であり、ラップフィルム収納容器の前板を省略して書いた図である。
【図５】従来のラップフィルム供給具の斜視図である。
【発明を実施するための形態】
【００２４】
以下、本発明の実施の形態について、図面を参照して説明する。なお、各図において互いに同一あるいは相当する部材には同一の符号を付し、重複した説明は省略する。
【００２５】
図１（Ａ）、（Ｂ）を参照して、実施の形態に係る、ラップフィルム収納容器３を備えるラップフィルム供給具１の構成を説明する。図１（Ａ）は、水平に配置された状態のラップフィルム供給具１の斜視図であり、図１（Ｂ）は、図１（Ａ）のラップフィルム収納容器の長手方向中央部における長手方向Ｘに直角な方向の断面図である。図１（Ａ）では、後述の蓋板２２は、開いた状態であり、図１（Ｂ）では、蓋板２２は、部分的に閉まっている状態であり（すなわち、蓋板２２が底板４に平行になっていない）、また後述のラップフィルム１２をラップフィルム収納容器３から引き出した状態が示されている。
【００２６】
ラップフィルム供給具１は、ラップ巻回体２（以下、適宜、巻回体２）と、巻回体２を収納するラップフィルム収納容器３（以下、適宜、収納容器３）とを含んで構成される。巻回体２は、食品包装用等に使用されるラップフィルム１２（以下、適宜、フィルム１２）を円筒状の巻芯１０に巻きつけて巻回体２としたものである。巻回体２は、細長い直方体形状である紙製の収納容器３の中に収納される。収納容器３は、例えば、厚紙またはボール紙などの紙素材により形成される。収納容器３は、複数枚、または、１枚の紙素材から形成することが可能である。
【００２７】
収納容器３は、容器本体１５を備える。容器本体１５は略直方体形状をなす。容器本体１５は、紙素材を折り曲げて形成され、当該紙素材は一度折り曲げても元に戻ろうとする曲げに対する弾力性（復元性）を有している。容器本体１５は、フィルム１２が円筒状に巻かれた巻回体２を収容し、一面３０が開口され、当該開口された一面３０から巻回体２を出し入れすることができる。巻芯１０に巻かれたラップフィルム１２は、ポリ塩化ビニリデンを原材料とする透明フィルムであるが、ポリ塩化ビニル、ポリエチレン、ポリメチルペンテン、もしくはこれらを組み合わせた多層ラップフィルムであってもよい。容器本体１５は、図１（Ａ）中、一面３０に対向する底板４と、底板４の一辺３１（長辺）に底板４に対し直角に立設された前板５と、一辺３１に対向する底板４の他の一辺３２（長辺）に底板４に対し直角に立設された後板６と、底板４の一辺３１に対向する第１の連接辺３８を有する副前板７を有する。底板４は、一面３０に対向するよう配置されている。副前板７は、第１の連接辺３８において前板５に連接される。副前板７は、略直方体形状の容器本体１５の形成に際し、第１の連接辺３８上で連接辺３８に沿って、収納容器３の内側に１８０°折り込まれ、前板５に重ねられる。折り込まれた副前板７は、前板５の側の表面に接着剤がライン状に塗布され、前板５と接着され、固定される。底板４、フラップ２０が分離される前のフラップ２０を含む前板５、後板６、副前板７は、長方形である。
【００２８】
底板４は長辺である一辺３１および他の一辺３２に加えて、短辺６１、６２を有する。容器本体１５は、側面板７１、７２を有する。側面板７１、７２は、それぞれ短辺６１、６２に立設されている。側面板７１、７２は略正方形である。
【００２９】
収納容器３は、さらに、蓋板２２と、蓋前板２３とを備える。蓋板２２は、略長方形である。蓋板２２は、底板４の他の一辺３２に対向する第２の連接辺３９を有し、第２の連接辺３９において後板６に回動可能に連接され、開口された一面３０を塞ぐよう構成される。蓋前板２３は、第２の連接辺３９に対向する蓋板２２の一辺４０に蓋板２２に対して直角に立設され、蓋板２２が一面３０を塞いだ状態のとき、前板５に沿って前板５の外側に重なるよう配置される。
【００３０】
蓋板２２は長辺である第２の連接辺３９と一辺４０に加えて、短辺６３、６４を有する。容器本体１５は、蓋側面板７３、７４を有する。蓋側面板７３、７４は、それぞれ短辺６３、６４に立設されている。蓋側面板７３、７４は略長方形である。
【００３１】
容器本体１５は、開口された一面３０から引き出されたラップフィルム１２の先端部３６を前板５から離間させる二つのフラップ２０を有する。フラップ２０は第１の連接辺３８にて副前板７に連接している。前板５には、フラップ２０の第１の連接辺３８にて副前板７に連接する部分を除いた周囲を取り囲むように切り込み４７（図２）が入れられている。二つのフラップ２０は、第１の連接辺３８に沿って前板５の長手方向Ｘに並んで配置されている。フラップ２０は、基部２１と、凸部２５とを有する。フラップ２０は、基部２１において第１の連接辺３８に連接する。凸部２５は、基部２１の第１の連接辺３８に対向する側（第１の連接辺３８とは反対側）で、基部２１と繋がっている。フラップ２０は、底板４の一辺３１に対向する側（凸部２５側）に先端３７を有する。すなわち、先端３７は凸部２５の先端を構成する。
【００３２】
副前板７と前板５とは、第１の連接辺３８に沿って折り曲げて重なるよう形成されている。フラップ２０は、切り込み４７によって前板５と分離され、さらに第１の連接辺３８に沿って折り曲げて形成されているため、副前板７と同一平面になろうとする復元力を有し、この復元力に基づく第１の連接辺３８周りの曲げモーメントが、フラップ２０に働く。この原理により、フラップ２０は、前板５から起き上がった状態となる。
【００３３】
フラップ２０は、フラップ２０の第１の連接辺３８に沿った長さＷ１が、第１の連接辺３８から先端３７までの長さＨより長く形成されている。長さＨの長さＷ１に対する比（Ｗ１／Ｈ）は、２以上とすることが望ましい。長さＨの長さＷ１に対する比（Ｗ１／Ｈ）を２以上とすることで、第１の連接辺３８でフラップ２０を折り曲げたことによるフラップ２０の復元力がフラップ２０の重量に比して十分に働き、それによりフラップ２０が前板５から適切な角度で起き上がるようにすることができるので、フィルム１２を前板５から確実に離間させることができる。
【００３４】
なお、基部２１とは、フラップ２０の第１の連接辺３８に連接する側の部分をいう。基部２１は、図１（Ａ）に示すように、典型的には収納容器３の長手方向Ｘに長い形状であり、第１の連接辺３８に連接する長さがＷ１に等しい。基部２１には、前述のように凸部２５が繋がっており、凸部２５の収納容器３の長手方向Ｘの長さに、さらに後述の刳貫部２９の長手方向Ｘの長さを加えた長さは、Ｗ１より短く形成されている。
【００３５】
フラップ２０は、前板５から切り込み４７（図２）によって分離されており、前板５からフラップ２０が切り起こされている。すなわち、フラップ２０は前板５に対し角度θをなすように第１の連接辺３８で副前板７に連接されている。よって、フラップ２０の起き上がりが良く、またフラップ２０を起こしやすい。切り込み４７は、基部２１の第１の連接辺３８に連接している部分と、基部２１の凸部２５と繋がっている部分と、凸部２５の基部２１と繋がっている部分とを除いた箇所に形成されている。前板５には、さらに切り込み４７（図２）が入れられており、切り込み４７（図２）に囲まれることにより刳貫部２９が二つ形成されている。刳貫部２９は、切り起こされたフラップ２０の底板４の一辺３１に対向する側に、形成されている。刳貫部２９は、指をいれ、引き出されたフィルム１２を摘まみ、さらに引き出すことのできる大きさである。副前板７は刳貫部２９が設けられた前板５の対応する部分を遮蔽し、外部からチリ等の異物が入ることを防ぐ。
【００３６】
前板５のフラップ２０の先端３７の下方（底板５へ向かう方向）に切り込み４９（図２にて破線で表示）を設け、刳貫部２９に代えて、もしくは刳貫部２９と共に、フラップ２０の先端３７の下方に刳貫部５０（図２にて破線で表示）を設けるようにしてもよい。
【００３７】
フラップ２０は、前板５の長手方向Ｘに直角な中心線４１（図１（Ａ）中、一点鎖線にて表示）に対して鏡対称に配置されており、中心線４１からフラップ２０（フラップ２０の中心線４１に最も近い箇所）までの第１の連接辺３８に沿った方向Ｘ（前板５の長手方向Ｘ）の距離（Ｗ０）が５ｍｍ以上である。したがって、二つのフラップ２０によってフィルム１２を確実に起こす（フィルム１２を前板５から離す）ことができる。
【００３８】
刳貫部２９は前板５の長手方向Ｘに直角な方向の中心線４１から長手方向Ｘにずれて配置されているが、どちらか一方の刳貫部２９に指を入れ、フィルム１２をさらに引き出したときに、フィルム１２をスムーズに引き出せる位置に形成されている。すなわち、刳貫部２９は当該中心線４１から長手方向Ｘにあまりずれていない位置に形成されている。また、刳貫部２９に指をいれた場合、当該指が基部２１の図１（Ａ）中、下部及び凸部２５の側部に接触する構造になっている。刳貫部５０（図２）も同様である。
【００３９】
前板５の二つのフラップ２０に挟まれた中央部分には、フィルム保持部３３が形成されている。フィルム保持部３３の形成方法としては、フィルム１２に対して粘着性を有する粘着剤を塗布し粘着剤層を設ける方法や、フィルム１２に対して密着性を有し、平滑性のあるニスを塗布し平滑層を設ける方法、さらには、フィルム１２自体の自己密着性を利用し、フィルム１２と実質的に同一材料からなる自己密着性フィルム層を設ける方法等がある。フィルム保持部３３はフラップ２０のフィルム１２に接する方の面に形成されている。
【００４０】
蓋前板２３の底板の一辺３１に対向する側（蓋板２２が閉じた状態で対向）には、フィル  ム１２を切断するためのカッター２４が一辺４６に沿って設けられている。カッター２４の先端には複数の鋸刃８０が形成されている。カッター２４の一部は、蓋板２２を完全に閉じて、開口している一面３０（図１（Ａ））を塞いだ場合、底板４方向に突出するように構成されているが、これには限定されないものとする。
【００４１】
図２に、蓋板２２を完全に閉じて（すなわち、蓋板２２が底板４（図１（Ａ））に平行になって）、開口している一面３０（図１（Ａ））を塞いだ場合のフラップ２０とカッター２４との位置関係を示す。蓋板２２が完全に閉じた場合の蓋前板２３（図１（Ａ））の一辺４６（図１（Ａ））およびカッター２４の前板５上における位置を破線にて示す。起伏形状を有するフラップ２０は、蓋前板２３に設けられたカッター２４の複数の鋸刃８０と重ならない位置に形成され、かつ、カッター２４の複数の鋸刃８０は、フラップ２０の先端３７から離れて先端３７に沿うように形成される。よって、フラップ２０の先端３７付近であって先端３７から離れた位置に、フィルム１２（図１（Ａ））の先端部３６（図１（Ｂ））を形成することが可能となる。これにより、切断時に複数の鋸刃８０によりこすれ磨耗し脆弱化したフィルム１２が、切断時にフラップ２０の起伏形状の影響を受けないようにすることができ、フィルム１２が不規則な切断となることを防止することが可能となる。
【００４２】
図１（Ａ）に示すように、蓋前板２３の外側の長手方向Ｘの中央には、エンボスが加工されたエンボス加工部２８が、蓋板２２が開口した一面３０を塞いだ状態のとき、フィルム保持部３３に重なるよう形成されている。エンボス加工部２８は、前板５の側に隆起する隆起部３４を有する。フィルム１２を収納容器３から引き出した後、蓋板２２を完全に閉じた状態で、エンボス加工部２８を親指でフラップ２０に向けて垂直に押した場合、フィルム１２がフィルム保持部３３に押し付けられ、フィルム保持部３３に確実に保持される。したがって、フィルム１２が収納容器３に対して確実に固定され、フィルム１２をカッター２４でスムーズに切断することができる。エンボス加工部２８は、前板５の側に隆起する隆起部３４を有しているので、エンボス加工部２８に指で触れた場合、触れたことを目視しなくとも、エンボス加工部２８に触れた指の触感にて確認することができる。
【００４３】
図３に示すように、容器本体１５（図１（Ａ））の二つのフラップ２０は、二つのフラップ２０の裏側（副前板７（図１（Ａ））側）の表面上に隆起部としての凸エンボス５１を有する。凸エンボス５１は、フラップ２０の凸部２５に形成されている。凸エンボス５１は、フラップ２０の先端３７になるべく近く（例えば、先端３７から１ｍｍ離して）形成するとよい。凸エンボス５１は、収納容器３（図１（Ａ））の長手方向Ｘに長い長方形である。凸エンボス５１は、副前板７に向かって隆起し、エンボス加工にて形成される。フラップ２０の凸エンボス５１は、副前板７の後述の凸エンボス５２（副前板７に後述の凸エンボス５２が形成されていないときは副前板７）に当たり、切り込み４７によって前板５から分離されたフラップ２０が再び前板５に嵌まり込む現象を防ぎ、前板５（図１（Ａ））から確実に起き上がらせることを可能とするので、フィルム１２（図１（Ｂ））を前板５から確実に離間させることができる。
【００４４】
図４に副前板７を示す。副前板７は第１の連接辺３８（図４に一点鎖線にて表示）にて前板５（図１（Ａ））に連接されている。図に示すように、副前板７は、副前板７の二つのフラップ２０に対向する側の表面上であって、二つのフラップ２０に対向する位置に隆起部としての凸エンボス５２を有する。図中、フラップ２０と刳貫部２９を二点差線で描き、前板５と副前板７が重なった場合の、フラップ２０と刳貫部２９の副前板７上の対応位置を示す。凸エンボス５２は、中心を第１の連接辺３８（図１（Ａ））上に有する円の円弧形状である（円弧の中心部における半径は第１の連接辺３８に直角）。凸エンボス５２は、二つのフラップ２０に向かって隆起し、エンボス加工にて形成される。副前板７の凸エンボス５２は、フラップ２０の凸エンボス５１に当たるように形成されているので、切り込み４７によって前板５から分離されたフラップ２０が再び前板５に嵌まり込む現象を防ぎ、前板５（図１（Ａ））から確実に起き上がらせることを可能とするので、フィルム１２（図１（Ａ））を前板５から確実に離間させることができる。
【００４５】
図３および図４において、凸エンボス５１は、副前板７と前板５が重なって配置された状態のとき、すなわち容器本体１５が組み立てられたとき、凸エンボス５２の全体が凸エンボス５１に当たるように形成される。すなわち、凸エンボス５２の全体が、凸エンボス５１の領域内に入るよう形成される。
【００４６】
本実施の形態では、凸エンボス５１と凸エンボス５２を両方形成しているが、凸エンボス５１と凸エンボス５２のどちらか一方を形成するようにしてもよい。また、二つのフラップ２０の両方に凸エンボス５１を形成しているが、どちらか一方のフラップ２０のみに凸エンボス５１を形成してもよい。このようにすると簡易な構成で、フラップ２０が前板５（図１（Ａ））から起き上がるようにし、フィルム１２（図１（Ａ））を前板５から確実に離間させることができる。副前板７の二つのフラップ２０に対向する位置にそれぞれ凸エンボス５２を形成しているが、どちらか一方のフラップ２０に対向する位置にのみ凸エンボス５２を形成してもよい。このようにすると、より簡易な構成で、フラップ２０が前板５（図１（Ａ））から起き上がるようにし、フィルム１２（図１（Ａ））を前板５から確実に離間させることができる。
【００４７】
図１（Ａ）、図１（Ｂ）を参照して、実施の形態の作用について説明する。
収納容器３は、巻回体２を収納し、蓋板２２は完全に閉じた状態で保管される。フィルム１２を収納容器３から引き出した後には、蓋板２２を完全に閉じた状態にし、フィルム１２をカッター２４により切断した後に、通常は底板４を下にして収納容器３を例えば台所の棚（不図示）に置いて保管する。この状態で、フィルム１２は、蓋前板２３の内側（蓋板２２が完全に閉じた場合の、前板５側）と、フラップ２０の外側（副前板７側とは反対の側）および前板５の外側との間に挟まれている。
【００４８】
次に、フィルム１２を使用するため、収納容器３を例えば台所の棚（不図示）から手に取り、蓋板２２を開ける。フラップ２０は、前板５から切り起こされている構造であり、長手方向Ｘに長い構造であるので、すなわち、フラップ２０の第１の連接辺３８に沿った長さＷ１が、第１の連接辺３８から先端３７まで長さＨより長い構造なので、フラップ２０はフィルム１２を起こす十分な力を有し、フィルム１２のフラップ２０に接触している部分は、フラップ２０によって蓋前板２３の内側の方向に押され、前板５から離間している。特にフィルム１２のフラップ２０に接触している部分の先端部３６は、確実に前板５から離間している。したがって、フィルム１２が摘みやすく、フィルム１２を収納容器３からスムーズに引き出すことができる。
【００４９】
蓋板２２が完全に閉じた状態のとき、蓋前板２３に取り付けられたカッター２４の先端は、フラップ２０の先端３７を超えて配置され、フラップ２０は、蓋前板２３およびカッター２４により外部から見えない構造になっている。カッター２４により前回使用されたフィルム１２の部分が切断されており、残った方のフィルム１２の先端部３６は、フラップ２０の先端３７より図１（Ａ）中、下側（底板４側）にある。
【００５０】
この状態から、今回フィルム１２を使用する場合は、蓋板２２を開き、刳貫部２９に指を入れ、切断されたフィルム１２の先端部３６を摘み、フィルム１２をさらに必要な長さだけ引き出す。フィルム１２を引きだしている間、巻回体２は収納容器３内で回転する。その後、蓋板２２を閉め、蓋前板２３のエンボス加工部２８を親指で押さえると、エンボス加工部２８は、この状態で、フィルム保持部３３に重なるよう形成されているので、フィルム１２がフィルム保持部３３に押し付けられる。よって、フィルム保持部３３にフィルム１２が確実に保持され、フィルム１２の収納容器３に対する位置が安定するのでフィルム１２をカッター２４によってスムーズに切断することができる。フィルム１２の切断が終了し、エンボス加工部２８から親指を離すと、二つのフラップ２０がフィルム１２を蓋前板２３の内側の方向、すなわち前板５から離れる方向に押し付ける力が働く。次回のフィルム１２の使用時に、蓋板２２を開けた場合は、蓋前板２３が二つのフラップ２０の起き上がりを拘束することがなくなるので、二つのフラップ２０がさらに起き上がり、フィルム１２を前板５から離れる方向にさらに押すので、フィルム１２は、フィルム保持部３３による保持を確保しつつ、前板５から確実に離れる。
【００５１】
実施の形態に係るラップフィルム収納容器３によれば、容器本体１５が二つのフラップ２０を有するので、開口された一面３０から引き出されたラップフィルム１２の先端部３６を二つのフラップ２０によって前板５から確実に離間させることができる。ラップフィルム１２の先端部３６を前板５から確実に離間させることができるので、ラップフィルム１２の使用者は、刳貫部２９に指を入れ、前板５から離間されたラップフィルム１２を容易に摘み、収納容器３からさらにスムーズに引き出すことができる。フラップ２０は、二つ形成されているので、フィルム１２を収納容器３から引き出す際に、左右どちらの手でもフラップ２０を起こしやすく、かつ左右どちらの手でもフィルム１２が摘みやすく、フィルム１２を収納容器３からスムーズに引き出すことができる。
【００５２】
前板５のフィルム保持部３３が設けられる箇所に蓋前板２３側に隆起する凸エンボス（不図示）を施してもよい。この場合、フィルム保持部３３が、凸エンボスを施さない場合よりも蓋前板２３に、より近づくことになるので、エンボス加工部２８によるフィルム保持部３３への押しつけがより確実になり、フィルム１２が確実にフィルム保持部３３に保持されるようになる。
【００５３】
フィルム保持部３３は、前板５の中央部分に設置されているが、二つのフラップ２０の引き出されたフィルム１２に対向する表面に設置されてもよい。この場合、フラップ２０の起き上がりにより、フィルム保持部３３が蓋前板２３側に近づくことになるので、前述と同様の効果を得ることができる。
【符号の説明】
【００５４】
１  ラップフィルム供給具
２  ラップ巻回体
３  ラップフィルム収納容器
４  底板
５  前板
６  後板
７  副前板
１０  巻芯
１２  ラップフィルム
１５  容器本体
２０  フラップ
２１  基部
２２  蓋板
２３  蓋前板
２４  カッター
２５  凸部
２８  エンボス加工部
２９  刳貫部
３０  一面
３１  一辺
３２  他の一辺
３３  フィルム保持部
３４  隆起部
３６  先端部
３７  先端
３８  第１の連接辺
３９  第２の連接辺
４０  一辺
４１  中心線
４６  一辺
４７、４９  切り込み
５０  刳貫部
５１、５２  凸エンボス
６１、６２、６４、６４  短辺
７１、７２  側面板
７３、７４  蓋側面板
８０  鋸刃
【図１】
2012101814.tif 000003
【図２】
2012101814.tif 000004
【図３】
2012101814.tif 000005
【図４】
2012101814.tif 000006
【図５】
2012101814.tif 000007